(57)【要約】【課題】本体部に拡張ボックスが接続可能に構成され、異常状態を検出して信頼性を改善する情報処理装置およびその接続情報取得方法を提供する。【解決手段】本体部２０には拡張ボード２３が接続可能なスロット２２が設けられ、このスロット２２にはケーブル２５を介してＰＣＩデバイス３１を有する拡張ボックス３０が接続可能に構成されている。スロット２２への拡張ボード２３の接続状態は、ＰＲＥＳＥＮＴ信号の有無を判断することにより取得可能である。【選択図】図１
2008210162.tif 000002
【特許請求の範囲】
【請求項１】
メインボードを有する本体部にケーブルを介して拡張ボックスが接続可能に構成された情報処理装置において、
前記本体部には前記拡張ボックスに前記ケーブルを介して接続された拡張ボードを挿入接続するスロットが設けられ、ＰＲＥＳＥＮＴ信号により前記拡張ボードの有無を認識することを特徴とする情報処理装置。
【請求項２】
前記ケーブルは、前記拡張ボードおよび前記拡張ボックスにそれぞれコネクタを介して接続されることを特徴とする請求項１に記載の情報処理装置。
【請求項３】
前記拡張ボックスは、ＰＣＩデバイスを有することを特徴とする請求項１又は２に記載の情報処理装置。
【請求項４】
前記拡張ボードおよび前記拡張ボックスには、それぞれドライバ／レシーバを有することを特徴とする請求項１、２又は３に記載の情報処理装置。
【請求項５】
前記本体部には前記スロットが複数個設けられ、該複数のスロットは、ホットスワップ対応スロットおよびホットスワップ非対応のスロットを含むことを特徴とする請求項１乃至４の何れかに記載の情報処理装置。
【請求項６】
メインボードを有する本体部および該本体部にケーブルを介して接続可能に構成され、ＰＣＩデバイスを有する拡張ボックスを含む情報処理装置において、
前記本体部の前記メインボードには制御部、ＰＣＩエクスプレス、ドライバ／レシーバおよび前記ケーブルと接続されるコネクタを備え、
前記拡張ボックスには、前記ＰＣＩデバイス、ドライバ／レシーバおよび前記ケーブルと接続されるコネクタを備え、
前記本体部のメインボードのコネクタは、前記ケーブルの接続の有無を示すＰＲＥＳＥＮＴ信号を有することを特徴とする情報処理装置。
【請求項７】
メインボードを有する本体部および該本体部にケーブルを介して接続可能に構成され、ＰＣＩデバイスを有する拡張ボックスよりなる情報処理装置の接続情報取得方法において、
ＰＣＩで定義されているＰＲＥＳＥＮＴ信号の有無を認識するステップを備え、
前記ＰＲＥＳＥＮＴ信号の有無により前記接続状態を認識することを特徴とする情報処理装置の接続情報取得方法。
【請求項８】
前記ＰＲＥＳＥＮＴ信号の有無の認識は、前記本体部の電源投入時に行なうことを特徴とする請求項１に記載の情報処理装置の接続情報取得方法。
【発明の詳細な説明】
【技術分野】
【０００１】
本発明は情報処理装置およびその接続情報取得方法に関し、特にＰＣＩエクスプレスバスを、拡張ボードを用いて、ケーブル等により延長するコンピュータ等の情報処理装置およびその接続情報取得方法に関する。
【背景技術】
【０００２】
最新のコンピュータ等の情報処理装置は、各種の周辺機器を接続してシステムとして使用すると共に必要とする機能又は性能を増強するため機能拡張可能に構成するのが一般的である。そのために、情報処理装置にはＰＣＩ（Peripheral Component Interconnect）バスを備えているものがある。
【０００３】
ＰＣＩエクスプレス（ＰＣＩとの互換性を維持しながら高速化したバス）では、ケーブル等によりＰＣＩバスの延長が可能である。ＰＣＩエクスプレスの各スロットには、スロットへの拡張ボードの確認、即ち拡張ボード装着の有無を示すためのＰＲＥＳＥＮＴ信号が存在する。ホットスワップ対応（即ち、コンピュータを停止させ又は電源をＯＦＦにすることなく周辺機器の接続や切り離しを行う機能）のスロットでは、この信号に基づいてスロットの電源を制御している。ホットスワップに対応していないスロットでは、この信号は使用されず、拡張ボードへのアクセスに対する応答で、ボードの有無が認識認識される。また、ＰＣＩエクスプレスでは、ケーブル等のよりバスの延長が可能であるので、ケーブルを接続するためのドライバ、コネクタ等で構成され、拡張ボード上にＰＣＩデバイスがないボードが存在する。
【０００４】
斯かる技術に関連する従来技術は、種々の技術文献に開示されている。ＰＣＩ拡張ボックスの存在が記述されているデバイス管理テーブルを見て、ＰＣＩ拡張ボックスがリセットされたか否かによりエラーに対する処理を分岐させる計算機システムが開示されている（例えば、特許文献１参照。）。また、ＰＣＩエクスプレスレーンのダイナミックな再構成を可能にしてＰＣＩエクスプレスの帯域幅の制限を克服するＰＣＩエクスプレスリンクのダイナミック再構成が開示されている（例えば、特許文献２参照。）。
【０００５】
【特許文献１】特開２００１-３５０６７４号公報（第３-４頁、第１図）
【特許文献２】特開２００５-１４１７３９号公報（第６頁、第２図）
【発明の開示】
【発明が解決しようとする課題】
【０００６】
上述の如き従来技術では、次の如き不便又は解決するべき課題があった。即ち、上述の如く拡張ボード上にＰＣＩデバイスがない場合に、拡張ボードへのアクセスに対する応答で、ボードの有無を認識する方式では、ケーブルが外れているか又はケーブルの先の装置に電源が入っていない場合、スロットに拡張ボードが装着されていないと判定され、異常が検出されないという課題があった。
【０００７】
本発明は、従来技術の上述した課題に鑑みなされたものであり、斯かる課題を解消又は軽減する情報処理装置およびその接続情報取得方法を提供することを目的とする。
【課題を解決するための手段】
【０００８】
本発明による情報処理装置およびその接続情報取得方法は、次の如き特徴的な構成を採用している。
【０００９】
（１）メインボードを有する本体部にケーブルを介して拡張ボックスが接続可能に構成された情報処理装置において、
前記本体部には前記拡張ボックスに前記ケーブルを介して接続された拡張ボードを挿入接続するスロットが設けられ、ＰＲＥＳＥＮＴ信号により前記拡張ボードの有無を認識する情報処理装置。
（２）前記ケーブルは、前記拡張ボードおよび前記拡張ボックスにそれぞれコネクタを介して接続される上記（１）の情報処理装置。
（３）前記拡張ボックスは、ＰＣＩデバイスを有する上記（１）又は（２）の情報処理装置。
（４）前記拡張ボードおよび前記拡張ボックスには、それぞれドライバ／レシーバを有する上記（１）、（２）又は（３）の情報処理装置。
（５）前記本体部には前記スロットが複数個設けられ、該複数のスロットは、ホットスワップ対応スロットおよびホットスワップ非対応のスロットを含む上記（１）乃至（４）の何れかの情報処理装置。
（６）メインボードを有する本体部および該本体部にケーブルを介して接続可能に構成され、ＰＣＩデバイスを有する拡張ボックスを含む情報処理装置において、
前記本体部の前記メインボードには制御部、ＰＣＩエクスプレス、ドライバ／レシーバおよび前記ケーブルと接続されるコネクタを備え、
前記拡張ボックスには、前記ＰＣＩデバイス、ドライバ／レシーバおよび前記ケーブルと接続されるコネクタを備え、
前記本体部のメインボードのコネクタは、前記ケーブルの接続の有無を示すＰＲＥＳＥＮＴ信号を有する情報処理装置。
（７）メインボードを有する本体部および該本体部にケーブルを介して接続可能に構成され、ＰＣＩデバイスを有する拡張ボックスよりなる情報処理装置の接続情報取得方法において、
ＰＣＩで定義されているＰＲＥＳＥＮＴ信号の有無を認識するステップを備え、
前記ＰＲＥＳＥＮＴ信号の有無により前記接続状態を認識する情報処理装置の接続情報取得方法。
（８）前記ＰＲＥＳＥＮＴ信号の有無の認識は、前記本体部の電源投入時に行なう上記（１）の情報処理装置の接続情報取得方法。
【発明の効果】
【００１０】
本発明の情報処理装置およびその接続情報取得方法によると、次の如き実用上の特有の効果を奏する。即ち、ＰＲＥＳＥＮＴ信号を利用することにより、拡張ボードの有無を簡単且つ確実に認識することが可能である。ホットプラグ対応の拡張スロットは無論のこと、ホットプラグ非対応の拡張スロットにおいてもＰＲＥＳＥＮＴ信号の状態により、本体部への拡張ボードの装着の有無が判定可能である。これにより、ケーブル外れ、拡張ボックスの電源異常等を検出して情報処理装置の信頼性を改善することが可能である。
【発明を実施するための最良の形態】
【００１１】
以下、本発明による情報処理装置およびその接続情報取得方法の好適な実施の形態の構成および動作を、添付図面を参照して詳細に説明する。
【００１２】
先ず、図１を参照して本発明の情報処理装置（例えば、コンピュータ）の第１実施の形態について説明する。図１は、本発明による情報処理装置１０Ａの構成を示す機能ブロック図である。図１に示す特定の実施の形態による情報処理装置１０Ａは、本体部（ＢＡＳＥ）又はそのメインボード（以下、単に本体部という）２０および２個の拡張ボックス３０ａおよび３０ｂにより構成される。
【００１３】
本体部２０は、制御部（ＣＯＮＴ）２１および２個の拡張スロット（ＳＬＯＴ）２２ａおよび２２ｂを含んでいる。これら各スロット２２ａ、２２ｂには、それぞれ拡張ボード（ＥＸ−ＢＲＤ）２３ａ、２３ｂが挿入接続されるコネクタ２７ａ、２７ｂを備えている。そして、各拡張ボード２３ａ、２３ｂは、それぞれケーブル（ＣＡＢ）２５ａ、２５ｂを介して拡張ボックス（ＥＸ−ＢＯＸ）３０ａ、３０ｂに接続可能に構成されている。
【００１４】
上述した各拡張ボード２３ａ、２３ｂには、それぞれドライバ／レシーバ（ＤＲＶ：以下、単にドライバという）２４ａ、２４ｂが搭載されている。これら拡張ボード２３ａ、２３ｂのドライバ２４ａ、２４ｂは、制御部２１に接続されている。また、各拡張ボックス３０ａ、３０ｂは、それぞれＰＣＩデバイス（ＰＣＩ−ＤＥＶ）３１ａ、３１ｂ、ドライバ３２ａ、３２ｂおよびコネクタ３３ａ、３３ｂを含んでいる。ＰＣＩデバイス３１ａ、３１ｂは、ＰＣＩエクスプレスのデバイスであり、例えば「ＰＣＩエクスプレス‐ＴＯ‐ＰＶＣＩ−Ｘブリッジ」等である。
【００１５】
次に、図１に示す本発明の情報処理装置（例えば、コンピュータ）１０Ａの動作を詳細に説明する。
【００１６】
本体部２０の電源が投入（又はＯＮ）されると、ホットスワップ対応の拡張スロット（ＳＬＯＴ１）２２ａでは、ＰＣＩで定義されているＰＲＥＳＥＮＴ信号の状態で、この拡張スロット２２ａに拡張ボード２３ａが装着されているか否かを確認する。そして、拡張ボード２３ａが接続されている場合には、その拡張スロット２２ａへの電源供給を制御する。他方、拡張スロット（ＳＬＯＴ２）２２ｂは、ホットスワップ非対応のため、そのスロット２２ｂに対するアクセスへの応答で、ボードの装着の有無を判定する。
【００１７】
延長（又は拡張）ケーブル２５ａ、２５ｂが外れている（非接続）状態の場合には、拡張スロット（ＳＬＯＴ１）２２ａについては、ボードが装着されているのに、リンクできないことで異常と認識される。他方、ホットスワップ非対応の拡張スロット（ＳＬＯＴ２）２２ｂについては、応答がない（リンクできない）ということで、拡張ボードが装着されていない、即ち正常と認識される。
【００１８】
尚、本発明の情報処理装置１０Ａでは、ホットプラグ非対応の拡張スロット２２ｂにおいても、ＰＲＥＳＥＮＴ信号の状態で、ボードの装着の有無を判定する。これにより、ケーブル２５の外れ、拡張ボックス３０の電源異常等を検出可能にする。
【００１９】
次に、本発明による情報処理装置の第２実施の形態について図２を参照して説明する。図２は、本発明による情報処理装置（例えば、コンピュータ）１０Ｂの構成を説明する機能ブロック図である。この情報処理装置１０Ｂの各構成要素のうち図１に示す情報処理装置１０Ａの構成要素に対応する部分には、説明の便宜上同様の参照符号を使用する。
【００２０】
図２に示す情報処理装置１０Ｂは、本体部のメインボード（ＢＡＳＥ、以下本体部という）２０およびこれと延長ケーブル２５で接続された１個の拡張ボックス（ＥＸ−ＢＯＸ）３０により構成される。
【００２１】
図２に示す情報処理装置１０Ｂにおいて、本体部２０は、制御部２１、ドライバ／レシーバ（ＤＲＶ）２４、ＰＣＩエクスプレス（ＰＣＩ−ＥＸＰ）２６およびコネクタ（ＣＯＮＥ）２７を含んでいる。一方、拡張ボックス（ＥＸ−ＢＯＸ）３０は、ＰＣＩデバイス（ＰＣＩ−ＤＥＶ）３１、ドライバ／レシーバ（ＤＲＶ）３２およびコネクタ（ＣＯＮＥ）３３を含んでいる。そして、本体部２０のコネクタ２７と拡張ボックス３０のコネクタ３３間は、上述した延長ケーブル２５により接続されている。
【００２２】
上述の情報処理装置１０Ｂにおいて、本体部２０は情報処理装置１０Ｂのメインボードであり、制御部２１はＰＣＩエクスプレスの制御用チップセットである。コネクタ２７および３３は、本体部２０および拡張ボックス３０を、必要に応じて延長ケーブル２５を介して相互接続するためのコネクタである。拡張ボックス３０は、ＰＣＩ−Ｘスロットを有する。ＰＣＩデバイス（ＰＣＩ−ＤＥＶ）３１は、「ＰＣＩエクスプレス‐ＴＯ‐ＰＶＣＩ−Ｘブリッジ」である。
【００２３】
ここで、本発明の情報処理装置１０Ｂにおいては、コネクタ２７がケーブル２５の接続の有無を示すＰＲＥＳＥＮＴ信号を有することを特徴とする。この特徴は、以下の動作説明から明らかになろう。
【００２４】
次に、本発明による情報処理装置１０Ｂの動作を説明する。先ず、本体部２０の電源が投入される。次に、上述したＰＲＥＳＥＮＴ信号の状態を確認する。これにより、ケーブル２５の接続の有無を判断する。即ち、拡張ボックス３０の電源が入っていない（電源ＯＦＦ）場合、ケーブル２５がコネクタ２７又は３３から外れている場合又はケーブル２５が接続されているのにリンクできない場合に、情報処理装置１０Ｂは「異常」であると認識される。
【００２５】
以上、本発明の情報処理装置およびその接続情報取得方法の好適な実施の形態について詳述した。しかし、斯かる実施の形態は、本発明の単なる例示に過ぎず、何ら本発明を限定するものでないことに留意されたい。本発明の要旨や精神を逸脱することなく、特定用途に応じて種々の変形変更が可能であることが、当業者には容易に理解できよう。
【図面の簡単な説明】
【００２６】
【図１】本発明による情報処理装置の第１実施の形態の構成を示す機能ブロック図である。
【図２】本発明による情報処理装置の第２実施の形態の構成を示す機能ブロック図である。
【符号の説明】
【００２７】
１０Ａ、１０Ｂ  情報処理装置（コンピュータ）
２０  本体部
２１  制御部
２２  スロット
２３  拡張ボード
２４、３２  ドライバ／レシーバ
２５  ケーブル
２７、３３  コネクタ
３０  拡張ボックス
３１  ＰＣＩデバイス
【図１】
2008210162.tif 000003
【図２】
2008210162.tif 000004